(57)【要約】      （修正有）【課題】大面積においても良好な外観を有する塗布フィルムが得る事ができる製造方法および塗布装置を提供することである。【解決手段】計量バー３のフィルム走行方向上流側、フィルム走行方向下流側、両端部および底部に設置されたカバー５，６，８により囲われた空間と、該空間に塗液を供給する塗液供給手段７を有し、前記空間に満たされた前記塗液を前記計量バ３ーの回転により持ち上げ、フィルムに前記塗液を塗布・計量する塗液塗布方法であって、前記計量バー３と前記フィルム走行方向上流側カバーの間隙（ａ）が、前記計量バーと前記フィルム走行方向下流側カバーの間隙（ｂ）より大きく、かつ前記フィルム走行方向上流側のカバーが前記フィルム走行方向下流側のカバーの先端高さより高く、その差（ｃ）が２．０〜８．０ｍｍであることを特徴とする塗液塗布方法。【選択図】図４
2013071099.tif 000002
【特許請求の範囲】
【請求項１】
計量バーのフィルム走行方向上流側、フィルム走行方向下流側、両端部および底部に設置されたカバーにより囲われた空間と、該空間に塗液を供給する塗液供給手段を有し、前記空間に満たされた前記塗液を前記計量バーの回転により持ち上げ、フィルムに前記塗液を塗布・計量する塗液塗布方法であって、前記計量バーと前記フィルム走行方向上流側カバーの間隙（ａ）が、前記計量バーと前記フィルム走行方向下流側カバーの間隙（ｂ）より大きく、さらに、前記間隙（ａ）が塗布部分全幅に渡って１．０〜２．０ｍｍ、前記間隙（ｂ）が塗布部分全幅に渡って０．５〜１．０ｍｍであり、かつ前記フィルム走行方向上流側のカバーが前記フィルム走行方向下流側のカバーの先端高さより高く、その差（ｃ）が２．０〜８．０ｍｍであることを特徴とする塗液塗布方法。
【請求項２】
前記計量バーのフィルム走行方向上流側のカバーの先端高さが前記計量バーの回転中心よりも高く、前記計量バーのフィルム走行方向下流側のカバーの先端高さが計量バーの回転中心よりも低い位置にあることを特徴とする請求項１に記載の塗液塗布方法。
【請求項３】
前記計量バーの回転中心、または回転中心位置よりも更にフィルム走行方向上流側から、前記カバーに囲まれた空間に塗液を供給することを特徴とする請求項１または２に記載の塗液塗布方法。
【請求項４】
前記計量バーが幅方向に間欠的に配置された回転可能な支持コロによって支持されており、かつ前記支持コロよりも更にフィルム走行方向上流側から前記カバーに囲まれた空間に塗液を供給することを特徴とする請求項１〜３のいずれかに記載の塗液塗布方法。
【請求項５】
押出機により樹脂を押し出し、該樹脂をシート状に成形してフィルムとなし、請求項１〜４のいずれかに記載の塗液塗布方法を用いて、前記塗液を前記フィルム上に塗布する塗布フィルムの製造方法。
【請求項６】
請求項１〜４のいずれかに記載の塗液塗布工程に続いて、オーブンにて乾燥、予熱、延伸をこの順に実施する工程を有する塗布延伸フィルムの製造方法。
【請求項７】
計量バーと、該計量バーのフィルム走行方向上流側、フィルム走行方向下流側、両端部および底部に設置されたカバーにより囲われた空間と、該空間に塗液を供給する塗液供給手段とを有する塗液塗布装置であって、前記計量バーと前記フィルム走行方向上流側カバーの間隙（ａ）が、前記計量バーと前記フィルム走行方向下流側カバーの間隙（ｂ）より大きく、さらに、前記間隙（ａ）が塗布部分全幅に渡って１．０〜２．０ｍｍ、前記間隙（ｂ）が塗布部分全幅に渡って０．５〜１．０ｍｍであり、かつ前記フィルム走行方向上流側のカバーが前記フィルム走行方向下流側のカバーの先端高さより高く、その差（ｃ）が２．０〜８．０ｍｍであることを特徴とする塗液塗布装置。
【請求項８】
前記計量バーのフィルム走行方向上流側のカバーの先端高さが前記計量バーの回転中心よりも高く、前記計量バーのフィルム走行方向下流側のカバーの先端高さが計量バーの回転中心よりも低い位置にあることを特徴とする請求項７に記載の塗液塗布装置。
【請求項９】
前記計量バーの回転中心、または回転中心よりも更にフィルム走行方向上流側に、前記カバーに囲まれた空間に塗液を供給する塗液供給口を有することを特徴とする請求項７または８に記載の塗液塗布装置。
【請求項１０】
前記計量バーの幅方向に間欠的に配置され、前記計量バーを支持する回転可能な支持コロと、該支持コロよりも更にフィルム走行方向上流側に前記カバーに囲まれた空間に塗液を供給する塗液供給口とを有することを特徴とする請求項７〜９のいずれかに記載の塗液塗布装置。
【発明の詳細な説明】
【技術分野】
【０００１】
本発明は、塗液塗布方法、塗布フィルムの製造方法および塗液塗布装置に関する。さらに詳しくは、塗布層の膜厚均一性に優れ、かつ塗布欠陥が非常に少ない塗液塗布方法に関し、特に製品の外観や干渉ムラの観点から塗布層の膜厚均一性に特に厳しい管理が必要であるタッチパネルや表面保護フィルム、表面加飾フィルム等に用いられるハードコート層積層フィルムにおいて、ハードコート層との易接着層を基材フィルム上に積層するために好適な塗液塗布方法、塗布フィルムの製造方法および塗液塗布装置に関する。
【背景技術】
【０００２】
基材である樹脂フィルムに塗布層を設けた塗布フィルムは、その優れた物理的性能や生産性に加えて、密着性や帯電防止性、フィルムの易滑化、光学特性の改善等の様々な機能が塗布層により付与にされる事で、非常に幅広い用途に展開されている。特に近年はＩＴ分野の伸びに従いＬＣＤやＰＤＰ等のフラットパネルディスプレイ用途やタッチパネル用途などの表示材料や表面保護・加飾フィルムなどの基材として使用量が増加している。しかしながら、ディスプレイの高精細化や大画面化に伴い、機能性に加えて外観上の欠点やムラが無いことが強く求められており、特に上記ディスプレイやタッチパネル用途に広く使用されているハードコート層を積層した場合は、塗布層の膜厚のムラにより、干渉ムラ（ある角度から見た時に視認される部分的な虹彩状反射）が発生するため厳密な膜厚管理が必要となるのに加えて、塗布層中への気泡等が混入する事により発生する微細な欠陥による外観不良についても品質管理面および生産性の観点から防止する事が要求されている。
【０００３】
塗液の塗布方法としては、薄い塗布層を常に均一な膜厚で塗布するという観点において、ダイコート法やグラビアコート法は安定性に難があり、バーコート法が優れている。しかしながら、バーコート法は計量バーにより塗布層を計量する工程にて微小な泡を噛み込み易く、塗布欠陥が発生しやすい問題があった。そこでそれらを改善する目的で様々な検討がなされている。
【０００４】
特許文献１では、計量バーとフィルム間に気泡巻込み抑制部材を有する塗布装置が開示されている。しかしながら、本発明者らの知見によれば、フィルムに過剰な塗液を吹き付ける工程での気泡の混入が防止できず、また上記気泡巻込み抑制部材のみでは計量バー近傍での塗液中への気泡侵入防止には不十分な状態であった。
【０００５】
また、特許文献２では、均一な塗布厚みを得るために、計量バーの上流側と下流側から塗液を供給しその量を適宜制御可能な塗布装置が開示されている。本装置を用いた場合は、過剰な塗液を吹き付ける工程がないため、該工程での気泡混入は抑制できるが、本発明者らの知見によれば、計量バー周辺の液はねや微細な気泡噛み込みによる塗布欠陥が多く、また塗布層の厚み均一性も計量バーの回転方向と下流側からの塗液の供給方向が逆方向であるためバー下流側の塗液排出が不安定となり、ハードコートの干渉ムラ防止の観点からは不十分であった。
【０００６】
さらに特許文献３，４では、計量バーを支持する支持コロを塗液で満たされた容器中に配置し、その容器中を塗液で満たす塗布装置が開示されている。本発明者らの知見によれば、本装置を用いた場合は、過剰な塗液を吹き付ける工程がなく、さらに計量バー周辺への微細な泡の噛み込みが防止されるため、上記特許文献１および特許文献２と比較すると塗布欠陥の改善効果は大きいが、塗液で満たされた容器中への気泡の混入と内部から漏洩する塗液量とのバランス維持が困難であり、突発的な気泡混入および／又は液はねによる塗布欠陥増加による塗布欠陥個数のバラツキが大きく、小面積での評価では良好であっても、フィルムロール全面積を検査した場合に、部分的に塗布欠陥が集合する領域が発生し、外観不良となったり生産性が悪化する問題があった。
【先行技術文献】
【特許文献】
【０００７】
【特許文献１】特開２００４−２２３３９１号公報
【特許文献２】特開２００９−１１２９７１号公報
【特許文献３】特開２００８−２３８０８２号公報
【特許文献４】特開２０１０−７５７７７号公報
【発明の概要】
【発明が解決しようとする課題】
【０００８】
本発明の目的は、かかる従来技術の問題点に鑑み、厚みの均一性が極めて優れており、かつ塗布層の欠陥が少なく、また突発的に発生する部分的な塗布欠陥の集合も抑制された、大面積においても良好な外観を有する塗布フィルムが得る事ができる製造方法および塗布装置を提供することである。
【課題を解決するための手段】
【０００９】
本発明は、かかる課題を解決するために、次のような手段を用いるものである。
（１）計量バーのフィルム走行方向上流側、フィルム走行方向下流側、両端部および底部に設置されたカバーにより囲われた空間と、該空間に塗液を供給する塗液供給手段を有し、前記空間に満たされた前記塗液を前記計量バーの回転により持ち上げ、フィルムに前記塗液を塗布・計量する塗液塗布方法であって、前記計量バーと前記フィルム走行方向上流側カバーの間隙（ａ）が、前記計量バーと前記フィルム走行方向下流側カバーの間隙（ｂ）より大きく、さらに、前記間隙（ａ）が塗布部分全幅に渡って１．０〜２．０ｍｍ、前記間隙（ｂ）が塗布部分全幅に渡って０．５〜１．０ｍｍであり、かつ前記フィルム走行方向上流側のカバーが前記フィルム走行方向下流側のカバーの先端高さより高く、その差（ｃ）が２．０〜８．０ｍｍであることを特徴とする塗液塗布方法。
（２）前記計量バーのフィルム走行方向上流側のカバーの先端高さが前記計量バーの回転中心よりも高く、前記計量バーのフィルム走行方向下流側のカバーの先端高さが計量バーの回転中心よりも低い位置にあることを特徴とする（１）に記載の塗液塗布方法。
（３）前記計量バーの回転中心、または回転中心よりも更にフィルム走行方向上流側から、前記カバーに囲まれた空間に塗液を供給することを特徴とする（１）または（２）に記載の塗液塗布方法。
（４）前記計量バーが幅方向に間欠的に配置された回転可能な支持コロによって支持されており、かつ前記支持コロよりも更にフィルム走行方向上流側から前記カバーに囲まれた空間に塗液を供給することを特徴とする（１）〜（３）のいずれかに記載の塗液塗布方法。
（５）押出機により樹脂を押し出し、該樹脂をシート状に成形してフィルムとなし、（１）〜（４）のいずれかに記載の塗液塗布方法を用いて、前記塗液を前記フィルム上に塗布する塗布フィルムの製造方法。
（６）（１）〜（４）のいずれかに記載の塗液塗布工程に続いて、オーブンにて乾燥、予熱、延伸をこの順に実施する工程を有する塗布延伸フィルムの製造方法。
（７）計量バーと、該計量バーのフィルム走行方向上流側、フィルム走行方向下流側、両端部および底部に設置されたカバーにより囲われた空間と、該空間に塗液を供給する塗液供給手段とを有する塗液塗布装置であって、前記計量バーと前記フィルム走行方向上流側カバーの間隙（ａ）が、前記計量バーと前記フィルム走行方向下流側カバーの間隙（ｂ）より大きく、さらに、前記間隙（ａ）が塗布部分全幅に渡って１．０〜２．０ｍｍ、前記間隙（ｂ）が塗布部分全幅に渡って０．５〜１．０ｍｍであり、かつ前記フィルム走行方向上流側のカバーが前記フィルム走行方向下流側のカバーの先端高さより高く、その差（ｃ）が２．０〜８．０ｍｍであることを特徴とする塗布装置。
（８）前記計量バーのフィルム走行方向上流側のカバーの先端高さが前記計量バーの回転中心よりも高く、前記計量バーのフィルム走行方向下流側のカバーの先端高さが計量バーの回転中心よりも低い位置にあることを特徴とする（７）に記載の塗液塗布装置。
（９）前記計量バーの回転中心、または回転中心よりも更にフィルム走行方向上流側に、前記カバーに囲まれた空間に塗液を供給する塗液供給口を有することを特徴とする（７）または（８）に記載の塗液塗布装置。
（１０）前記計量バーの幅方向に間欠的に配置され、前記計量バーを支持する回転可能な支持コロと、該支持コロよりも更にフィルム走行方向上流側に前記カバーに囲まれた空間に塗液を供給する塗液供給口とを有することを特徴とする（７）〜（９）のいずれかに記載の塗液塗布装置。
【発明の効果】
【００１０】
本発明に係る塗布方法および塗布装置よれば、厚みの均一性が極めて優れており、かつ塗布層の欠陥が少なく、また突発的に発生する部分的な塗布欠陥の集合も抑制された、大面積においても良好な外観を有する塗布フィルムが得る事ができる。
【図面の簡単な説明】
【００１１】
【図１】本発明の一実施態様に係る計量バーによる塗布装置の断面概略図である。
【図２】図１の計量バー部分の拡大図である。
【図３】本発明の一実施態様に係る計量バーによる塗布装置の俯瞰概略図である。
【図４】本発明の一実施態様に係る計量バーによる塗布装置の断面概略図である。
【図５】本発明の一実施態様に係る計量バーによる塗布装置の端部カバー部分の断面概略図である。
【図６】本発明の一実施態様に係る計量バーによる塗布装置の断面概略図である。
【図７】本発明の一実施態様に係る計量バーによる塗布装置の断面概略図である。
【図８】従来の塗布技術である計量バーによる塗布装置の概略図である。
【発明を実施するための形態】
【００１２】
本発明は、計量バーの上流側、下流側、両端部および底部に設置されたカバーにより囲われた空間と、該空間に塗液を供給する塗液供給手段を有し、前記空間に満たされた前記塗液を前記計量バーの回転により持ち上げ、フィルムに前記塗液を塗布・計量する塗液塗布方法である事が必要である。
【００１３】
塗布層の塗布厚み均一性を達成するためには、計量バーによる塗液塗布方法が必要であり、他の代表的な塗液塗布方法であるダイコートやスプレーコート、グラビアコート法では塗布膜厚の均一性に劣る。特に、薄い膜厚の塗布層を有する塗布フィルムを得る方法として代表的なグラビアコート法では、塗液をグラビアロールから転写させる事によりフィルム上に塗布するが、グラビアロールの微小な回転ムラやロールの偏心、ドクターブレードの当たり方、グラビア版詰まり等により膜厚が変動するため調整が難しい。一方、計量バーによる塗液塗布方法は、計量バーが直接フィルムに接触し、余剰な塗液をかき取り計量する方法であり、回転ムラや計量バーの偏心の影響を受けにくく、膜厚均一性が良好である。
【００１４】
ただし、図８に例示される様な計量バーによる従来の塗液塗布方法では、塗布供給部（７）よりフィルムに塗液を吹き付ける際にスジ等の欠点の発生が無く均一に塗布するためには、必要な塗布量に対して過剰な塗液を吹き付ける必要があるため、吹きつけ時の勢いで気泡を巻き込んだり、また計量バーによりかき落とされる塗液量が多く、かき落とされた過剰な塗液がカバー（５）（６）や支持コロ（４ａ）（４ｂ）、液受けパン（９）および液受けパン中の塗液（１０）ではねてフィルムに付着しやすく、塗布欠陥の発生が多い問題があった。前者の塗液をフィルム上に供給する方法として、計量バー自身の回転により計量バーの下部の塗液を持ち上げフィルムに供給する方法を用いることで、必要な量の塗液を幅方向に均一に供給でき、微細な気泡の持ち込みを防止する事が可能となる。また、後者の計量バーによるかき取りでの気泡噛み込みや液はねについては、計量バーの上流側、下流側および両端部に設置されたカバーによって、かき取られた塗液がはねてフィルムへ付着することを防止すると共に、前記カバーに囲われた空間内に塗液を供給し、該空間を塗液で満たす事により計量バーの回転により巻き込まれる気泡の混入を抑制する事が可能となる。
【００１５】
具体的な塗液塗布装置としては、図１，図３，図４，図５などで例示される。本装置では、回転により塗液を持ち上げてフィルムに塗布・計量する計量バー（３）と、該計量バー周辺に上流側カバー（５）、下流側カバー（６）、両端部カバー（１１）および底部カバー（８）が設置され、前記カバーにより囲われた空間を有している。上流側カバー（５）と下流側カバー（６）は計量バーとの間隙を調整ができるよう、固定用のネジ穴が長穴になっているなどして、上下流方向へ固定位置が調整可能な機構を備えている。また、前記カバーにより囲われた空間に塗液を直接供給する塗液供給部（７）を有している。塗液は供給部（７）より前記カバーにより囲われた空間内に供給され、該カバー内に満たされた塗液は、計量バー（３）の回転により持ち上げられ、フィルムに塗布され、その後、計量バー（３）により膜厚調整される。
【００１６】
また、計量バーの回転による気泡の持ち込みをさらに抑制防止するために、計量バー（３）と下流側のカバー（６）との間隙を通って塗液が常に外部に漏洩するように、塗液供給部より供給する塗液量を調整する事が好ましい。そうする事により計量バー（３）の回転に随伴して、カバーに囲われた内部へ入り込もうとする微細な気泡を、塗液により防止する事が可能となる。また、塗液は計量バー（３）と上流側のカバー（５）との間隙からも常に外部に漏洩するように、塗液供給量を調整することがさらに好ましい。計量バー（３）と上流側のカバー（５）との間隙から安定して塗液を外部に漏洩させる流れを作ることで、計量バー（３）の回転により持ち上げられる塗液と同方向の流れとなり、図２に例示される計量バーの上流側の液だまり（１２）への気泡混入を防止し、膜厚均一性向上や塗布欠陥抑制の観点から好ましい。
【００１７】
本発明において、第１の計量バーでかき落とされた塗液の液抜け性を改善し、かき落とした塗液をスムーズに抜きかつ、液はねによる欠陥を防止するために、図４等で例示される計量バー（３）と上流側カバー（５）との間隙（ａ）を１．０〜２．０ｍｍに、第１の計量バー（３）と下流側カバー（６）との間隙（ｂ）を（ａ）より狭く０．５〜１．０ｍｍとすることが必要である。間隙（ａ）、間隙（ｂ）を前記範囲とすることで、計量バーへの塗液の供給および計量バー下流側の液抜け性を良好とし、図３に例示される計量バー上流側の液だまり（１２）および下流側の液だまり（１３）の大きさを安定化し、気泡混入を防止する事で、塗布層厚みの均一性向上と液はねによる欠陥低減を両立する事が可能となる。上流側カバーの間隙（ａ）は計量バー上流側の液だまりの安定性と関係が有り、広いと液だまりが大きくなり、液だまりの変動も大きくなる事から、塗布均一性が悪化する傾向が見られ、また狭いと液だまりが小さくなり、上流側の液だまりへの気泡侵入による塗布欠陥が増加する傾向がある。液だまりの大きさを安定化させる事は、塗布均一性および塗布欠陥防止の観点から重要である。また、下流側の塗液は回転バーの回転方向と支持コロの回転方向が逆になるため、安定してカバーと計量バーの間隙から外部に漏洩する状態を保つことが、カバー内部への気泡混入を防止するために重要である。そのため計量バーと下流側カバーの間隙（ｂ）を上記の範囲とする事が必要で、計量バーとカバーの間隙が狭すぎると内部から漏洩する塗液の量が不安定となり、計量バー下流側の液だまりの大きさが変動し塗布均一性が損なわれたり、液はねによる塗布欠陥が増加する場合がある。また、計量バーとカバーの間隙が広すぎると、計量バーとカバーの隙間から内部に微細な気泡が混入し、塗布欠陥が悪化する場合がある。
【００１８】
本発明において、図４に示される様に計量バーの上流側カバーの先端高さが下流側カバーの先端高さよりも高く、その高さの差（ｃ）が２．０〜８．０ｍｍである。また、計量バー上流側のカバーの先端高さが回転する計量バーの回転中心の高さより高く、下流側カバーの先端高さが回転する計量バーの回転中心の高さより低いことが好ましい。計量バーの上流側の塗液は、計量バーの回転方向に伴い外部に持ち上げられ、下流側の塗液は容器の内部に押し込まれる様に随伴する流れが生じる。下流側カバー先端高さを上流側カバーの先端高さより低くし、下流側の空間内部の圧力を高めることは、下流側のカバーと計量バーの間隙より微細な泡の混入を防止する観点で好ましい。また、上流側カバーと下流側カバーの高さの差が前述の範囲であることが下流側の液だまりの大きさをさらに安定させる意味でより好ましい。また、上流側カバーの先端高さを回転する計量バーの回転中心より高くする事で、上流側計量バー近傍に向かって塗液を供給できる事で液はねによる塗布欠陥を防止するという観点で好ましい。さらに、下流側カバーの先端高さを回転する計量バーの回転中心よりも低くすることで、計量バー下流側の液だまり部分への内部から漏洩した塗液による液はねの影響を低減させる意味でより好ましい。
【００１９】
本発明においては、前記計量バーとカバーの間隙（ａ）、（ｂ）およびカバーの先端高さの差（ｃ）を上記の範囲とすることで、カバーに囲われた空間内部の液の流れのバランスが良好な状態に保つことが出来る。その結果、計量バーの上流側の液だまり（１２）および計量バーの下流側の液だまり（１３）を安定化させ、連続塗布時でのフィルムばたつきや搬送張力変動などによる外乱発生時も突発的な塗布欠陥の増加を抑制し、大面積に渡って安定した塗布状態を保持する事が可能となる。
【００２０】
本発明における端部カバー（１１）は、計量バー（３）と接触しないように設けることが、計量バー（３）のスムーズな回転を阻害しないという観点で好ましく、端部カバー（３）は半円状の穴を開けるなどして、計量バーと接触しない構造となっている。また、計量バー（３）と端部カバー（１１）との間隙は０．２〜２．０ｍｍである事が好ましく、さらには０．５〜１．５ｍｍである。０．２ｍｍよりも狭くなった場合は、計量バー（３）の回転時の振動などで計量バーと端部カバーが接触する事があり好ましくなく、２．０ｍｍを越える場合は、計量バーと端部カバー間の塗液の漏洩量が多くなりすぎるため、塗布欠陥が悪化する場合がある。
【００２１】
本発明において、計量バーが図４等で例示される様に、間欠的に配置された回転可能な支持コロ（４ａ）（４ｂ）によって支持されていることが、計量バーの回転をスムーズにし、かつ計量バーの幅方向のしなり変形による偏心むらを防止するために好ましい。また、前記支持コロは軸を備える等して、計量バー（３）のカバーにより囲まれた空間内に配置され、支持コロ全体が塗液で満たされていることが、支持コロの回転による気泡の噛み込みを低減できるため好ましい。また、計量バーの回転がスムーズとなるように、その両端部がカバーにより囲まれた空間の外に配置されたベアリングで支持され、計量バーとフィルムが接触する事でフィルムの走行により回転することが、塗布フィルム表面のキズを抑制し、かつ塗布層の膜厚安定化のために好ましい。
【００２２】
本発明における計量バーの直径は特には限定されないが通常１０〜３０ｍｍの範囲である。また、計量のための溝は、ワイヤーを円筒形の部材に巻き付けたワイヤーバー方式でもよいし、部材表面に螺旋状溝を掘った方式のものを用いても良い。なお、計量バーは振れ量が１５０μｍ以下、更に好ましくは１００μｍ以下であるものを用いることで、塗布均一性が安定するため好ましい。
【００２３】
本発明において、塗液供給部（７）のフィルム走行方向における位置が、図６に例示される様な計量バーの回転中心位置もしくは、計量バー回転中心の上流側であるが好ましく、また図４に例示されるように上流側の支持コロよりも更に上流側であることが特に好ましい。図８のように計量バーの回転中心部よりも下流側に塗液供給部（７）が位置している場合は、特に下流側支持コロよりも更に下流から塗液を供給した場合に下流側カバー近傍の塗液安定性が劣り、図３に示される計量バー下流部の液だまり（１３）の安定性が悪化する。具体的には計量バー（３）と下流側カバー（６）の間隙から外部へ漏洩する塗液の流れが不均一になる傾向があり、外乱により突発的に漏洩量が増加した場合は液はね量の増加により、漏洩量が減少した場合は内部への気泡侵入が増加することで、塗布欠陥の集中発生が起きやすいという観点で好ましくない。塗液の供給口の形状については、特には限定されないが、例えば、ホール状の形状やスリット状の形状等が挙げられる。また、供給口は幅方向中央部の１カ所に設けられても、幅方向に間欠的に複数箇所設けられても、幅方向全幅に渡って連続的に設けられていても良く、使用する塗液の特性などを鑑み適宜選択される。さらに塗液供給の方向についても特には限定されないが、カバーに囲われた内部の空間の塗液流れ安定性の観点からは、底部カバーより上方に向けて供給する事が好ましい。
【００２４】
本発明において、計量バー（３）でかき落とされた塗液、および計量バーと前記カバーとの間隙の間から漏洩した塗液は、塗液を受ける液受けパン（９）に集められ再循環される事が生産コスト上好ましい。再循環に当たっては、一旦塗液を保持する槽に集められ温度の調整を実施後、フィルターで異物を濾過してから塗液供給部（７）より再供給する事が好ましい。
【００２５】
本発明の塗液塗布方法および塗液塗布装置が適用できる素材としては、特には限定されないが、例えばポリエチレンテレフタレート、ポリエチレンナフタレート等のポリエステル系樹脂、トリアセチルセルロース等のセルロース系樹脂、ポリメチル（メタ）アクリレート等のアクリル系樹脂、ポリスチレンやアクリロニトリル・スチレン共重合体等のスチレン系樹脂、ポリカーボネート系樹脂、ポリエチレン、ポリプロピレン、エチレン・プロピレン共重合体、ノルボルネン等の脂環式ポリオレフィン等のオレフィン系樹脂、塩化ビニル系樹脂、ナイロンや芳香族ポリアミド系樹脂、イミド系樹脂、ポリフェニレンスルフィド系樹脂、ポリエーテルスルフォン系樹脂、塩化ビニリデン系樹脂、ビニルアルコール系樹脂、ビニルブチラール系樹脂、アリレート系樹脂、ポリオキシメチレン系樹脂、エポキシ系樹脂、またはこれらの樹脂のブレンド物からなるプラスチックフィルムなどが挙げられる。中でもフラットパネルディスプレイやタッチパネル、表面保護フィルムや加飾フィルム用途の基材フィルムとして用いる場合は、機械特性や熱特性および透明性に優れたポリエチレンテレフタレートやポリエチレンナフタレート樹脂が好ましい樹脂として挙げられる。また、その極限粘度（ＪＩＳ  Ｋ７３６７  ２０００に従い、２５℃のｏ−クロロフェノール中で測定）は０．４〜１．２ｄｌ／ｇが好ましく、より好ましくは０．５〜０．８ｄｌ／ｇの範囲内が好ましい。
【００２６】
更に、このポリエステル中には、各種添加剤、例えば、酸化防止剤、耐熱安定剤、耐候安定剤、紫外線吸収剤、有機の易滑剤、顔料、染料、有機または無機の微粒子、充填剤、帯電防止剤、核剤、架橋剤などがその特性を悪化させない程度に添加されていてもよい。
【００２７】
本発明の塗液塗布方法および塗液塗布装置が適用できる塗布層は特には限定されないが、ディスプレイやタッチパネル用途に広く使用されているハードコート層を塗布層上に積層する事を想定した場合は、ハードコート層と本発明にかかる塗布フィルム間の界面での反射光が可視光領域で最も小さくなるように設計する事が干渉ムラを抑制するために好ましい。ハードコートフィルムの干渉ムラは、空気／ハードコート層界面での反射光とハードコート層／フィルム層界面の反射光が干渉する事により発生するため、ハードコート層／フィルム層界面の反射光を極力小さくすることで、干渉ムラを抑制することが可能となる。上記の様な特性を有するために本発明にかかる積層ポリエステルフィルムは、塗布層（Ａ層）側の分光鏡面反射率が極小値となる波長λｍｉｎが４８０〜６００ｎｍの間に存在する事が好ましく、また波長λｍｉｎの値が塗布フィルムの場所によるバラツキが小さい事が、部分的な干渉ムラを抑制するために好ましい。反射率が極小となる波長λｍｉｎは、空気層／塗布層間界面の反射光と塗布層／基材フィルム界面の反射光が互いに逆位相となって打消し合っていると考えられ、両者の光が進む光路長の差（塗布層の厚み×塗布層の屈折率）を表しているため、波長λｍｉｎのバラツキが小さく安定しているという事は、塗布層の組成および膜厚が場所によらず均一であるという理想的な状態となっていることを示している。
【００２８】
本発明の塗液塗布方法および塗液塗布装置をハードコート用フィルムに適用する場合は、塗布層の干渉ムラ低減とハードコート層との接着性の観点から、塗布層はナフタレン骨格および／またはフルオレン骨格を有している比較的剛直なポリエステル樹脂成分に、メラミン系、オキサゾリン系の架橋剤をポリエステル樹脂１００重量部に対して３０〜１００重量部含有する組成とすることが好ましい。このように、剛直でありかつ架橋剤含有量が多い塗布層を塗布する場合は、特に膜厚均一性や塗布欠陥が悪化しやすく、本発明における塗液塗布方法を用いることが非常に有効である。
【００２９】
本発明における塗液塗布方法は、フィルムの製造工程とは別工程で、フィルムを巻き出し、塗布・乾燥することで塗布フィルムを得る、所謂オフラインコーティング法でも良く、また押出機により樹脂を押し出し、該樹脂をシート状に成形してフィルムとなすフィルムの製造工程中に塗布を行い、塗布フィルムを一気に得る、所謂インラインコーティング方法のいずれに適用してもよい。本発明の塗布方向および塗液塗布装置をインラインコーティング法へ適用した場合は、一度に塗布フィルムが製造できるため生産性の観点で好ましく、また、延伸フィルムの一般的な方法である、塗布層を設けた後にフィルムを延伸する工程を含んでいる場合は、塗布層も延伸される事から、薄い塗布層を均一に設ける事ができる点で有利である。その場合に用いる塗液の溶剤は、環境汚染や防爆性の点から水系であることが最も好ましい。
【００３０】
次に本発明の塗液塗布方法を用いた塗布フィルムの製造方法を、基材フィルムを２軸延伸ポリエチレンテレフタレート（以下、ＰＥＴと略す）と場合を例にして説明するが、これに限定されるものではない。
【００３１】
基材層を構成する極限粘度０．５〜０．８ｄｌ／ｇのＰＥＴペレットを真空乾燥した後、押し出し機に供給し２６０〜３００℃で溶融し、Ｔ字型口金よりシート状に押し出し、静電印加キャスト法を用いて表面温度１０〜６０℃の鏡面キャスティングドラムに巻き付けて、冷却固化せしめて未延伸ＰＥＴフィルムを作製した。この未延伸フィルムを７０〜１００℃に加熱されたロール間で長手方向に２．５〜５．０倍延伸する。このフィルムの少なくとも片面に空気中でコロナ放電処理を施し、該表面の濡れ張力を４７ｍＮ／ｍ以上とし、その処理面に塗布層を構成する水系塗液を本発明の方法を用いて塗布する。この塗布されたフィルムをクリップで把持して乾燥ゾーンに導き、塗布層を乾燥させた後に７０〜１５０℃の温度で加熱を行い、引き続き連続的に７０〜１５０℃の加熱ゾーンで幅方向に２．５〜５．０倍延伸し、続いて２００〜２４０℃の加熱ゾーンで５〜４０秒間熱処理を施し、１００〜２００℃の冷却ゾーンを経て結晶配向の完了した基材ポリエステルフィルム上に塗布層が積層された塗布フィルムを得る。なお、上記熱処理中に必要に応じて３〜１２％の弛緩処理を施してもよい。二軸延伸は縦、横逐次延伸あるいは同時二軸延伸のいずれでもよく、また縦、横延伸後、縦、横いずれかの方向に再延伸してもよい。得られた塗布フィルムの端部をカットした後に巻き取り中間製品とし、その後スリッターを用いて所望の幅にカット後、円筒状のコアに巻き付け所望の長さのポリエステルフィルムロールを得ることができる。なお、巻き取り時に巻姿改善のためにフィルム両端部にエンボス処理を施しても良い。
【実施例】
【００３２】
［物性の測定法］
以下、実施例により本発明の構成、効果をさらに具体的に説明する。なお、本発明は下記実施例に限定されるものではない。各実施例の記述に先立ち、各種物性の測定方法を記載する。
【００３３】
（１）分光反射率
（Ａ）試料のサンプリング方法
幅方向１ｍ×長手方向１ｍのサンプルを採取し、採取したサンプルから幅方向３ヶ所（中央と両端部）、長手方向３ヶ所（中央と両端部）の組み合わせ９点について幅方向１５０ｍｍ×長手方向２００ｍｍのサンプルを切り出し反射率測定用サンプルとした。
（Ｂ）反射率の測定方法
分光反射率の測定は、測定面の裏面に５０ｍｍ幅の黒色光沢テープ（ヤマト（株）製  ビニ−ルテープＮｏ．２００−５０−２１：黒）を気泡を噛みこまないように（Ａ）の方法で採取したサンプルとテープの長手方向を合わせて貼り合わせた後、上記サンプルの中央部から約４０ｍｍ角のサンプル片に切り出し、分光光度計（島津製作所（株）製  ＵＶ２４５０、鏡面反射率測定ユニットを使用）にて入射角５°での分光鏡面反射率を測定した。サンプルを測定器にセットする方向は、測定器の正面に向かって前後の方向にサンプルの長手方向を合わせた。なお反射率を基準化するため、標準反射板として付属のＡｌ２Ｏ３板を用いた。反射率は波長４００〜７００ｎｍの範囲で測定し、反射率が極小と成る波長をλｍｉｎ(ｎｍ)とした。
【００３４】
得られたλｍｉｎの値について、前記９点のλｍｉｎ値について最大値（９測定点の内、最も波長が長いもの）と最小値（９測定点の内、最も波長が短いもの）の差を計算し、λｍｉｎ差を計算した。
【００３５】
結果の判定は両者ともに以下基準で実施し、Ｓ、Ａ、Ｂ、Ｃの順番で塗布層の膜厚均一性が良く、Ｓ，Ａ，Ｂが合格範囲、Ｃが不合格である。
【００３６】
Ｓ：λｍｉｎの差１０ｎｍ以下
Ａ：λｍｉｎの差１０ｎｍを越えて２０ｎｍ以下
Ｂ：λｍｉｎの差２０ｎｍを越えて３０ｎｍ以下
Ｃ：λｍｉｎの差３０ｎｍを越える。
【００３７】
（２）干渉ムラ
ハードコート層を構成する活性線硬化型樹脂（日本合成化学工業（株）製  紫光ＵＶ−１７００Ｂ[屈折率：１．５０〜１．５１]）を積層ポリエステルフィルムの塗布層表面上にバーコーターを用いて硬化後の膜厚が１．５μｍとなるように均一に塗布した。次いで、ハードコート層の表面から９ｃｍの高さにセットした１２０Ｗ／ｃｍの照射強度を有する集光型高圧水銀灯（アイグラフィックス（株）製  Ｈ０３−Ｌ３１）で、積算照射強度が３００ｍＪ／ｃｍ２となるように紫外線を照射し、硬化させ、光学積層フィルム上にハードコート層を積層された光学積層フィルムを得た。なお、紫外線の積算照射強度測定には工業用ＵＶチェッカー（日本電池（株）製ＵＶＲ−Ｎ１）を用いた。
【００３８】
なお、ハードコート層の屈折率はシリコンウエハー上にスピンコーターにて形成された塗膜について、位相差測定装置（ニコン（株）製  ＮＰＤＭ−１０００）で６３３ｎｍの屈折率を測定した。結果、ハードコート層の屈折率は１．５０であった。次いで、得られた光学積層フィルムから、８ｃｍ（積層ポリエステルフィルム幅方向）×１０ｃｍ（積層ポリエステルフィルム長手方向）の大きさのサンプルを切り出し、ハードコート層の反対面に黒色光沢テープ（ヤマト（株）製  ビニ−ルテープＮｏ．２００−５０−２１：黒）を気泡を噛み込まないように貼り合わせた。
【００３９】
このサンプルを暗室にて３波長蛍光灯（松下電器産業（株）製 ３波長形昼白色（Ｆ・Ｌ １５ＥＸ−Ｎ １５Ｗ））の直下３０ｃｍに置き、視角を変えながら目視により干渉縞の程度を観察し、以下の評価を行った。実用レベルのものはＢとし、Ｓ，Ａのものは良好、Ｃは不合格とした。
【００４０】
Ｓ：干渉ムラがほぼ見えない
Ａ：干渉ムラがわずかに見える
Ｂ：弱い干渉ムラが見える。
【００４１】
Ｃ：干渉ムラが強い。
【００４２】
（３）塗布欠陥
ポリエステルフィルムロールのスリット工程において、中間ロール巻き出し後の走行フィルム面に対して、距離１５０ｍｍに設置したＬＥＤ光源から入射角１５°にてフィルム位置での照度３０，０００ｌｘにて塗布層側から照射し、その正反射光（反射角１５°の反射光）をフィルムからの距離２００ｍｍに設置し、フィルム流れ方向速度が５０ｍ／分での分解能が幅方向０．１６ｍｍ、長手方向０．１２ｍｍ、画素サイズ１０μｍ、検出光０．３１ｌｘ・ｓを１０２４階調に分解する感度を有したＣＣＤカメラにて検出した。検出した信号を長手方向に微分処理を実施し、幅方向３ピクセル・長手方向１ピクセル以上のサイズであり、微分後の信号閾値が１００階調以上の欠陥個数を１０００ｍ２に渡ってカウントし、フィルムの面積１０ｍ２当たりの欠陥数に換算し、平均欠陥個数とした。また、塗布欠陥個数は塗布が十分安定した後（開始から２時間後）ついてカウントした。なお、小数点以下２桁目は四捨五入した。結果の判定は以下基準で実施し、Ｓ，Ａ，Ｂが合格範囲、Ｃが不合格である。
【００４３】
Ｓ：１．０ヶ／１０ｍ２以下
Ａ：１．０ヶ／１０ｍ２を越えて２．０ヶ／１０ｍ２以下
Ｂ：２．０ヶ／１０ｍ２を越えて３．０ヶ／１０ｍ２以下
Ｃ：３．０ヶ／１０ｍ２を越える。
【００４４】
また、部分的に発生する塗布欠陥の多発については、１０ｍ２毎に区間を区切って、各区間内の塗布欠陥個数をカウントした時の最大値（最大欠陥個数）によって、以下基準で結果判定を実施した。Ｓ，Ａ，Ｂが合格範囲、Ｃが不合格である。
【００４５】
Ｓ：最大値が  ２ヶ／１０ｍ２以下
Ａ：最大値が  ３ヶ／１０ｍ２以上  ６ヶ／１０ｍ２以下
Ｂ：最大値が  ７ヶ／１０ｍ２以上１０ヶ／１０ｍ２以下
Ｃ：最大値が１１ヶ／１０ｍ２以上
各実施例・比較例で用いる樹脂等の調整法を参考例として示す。
【００４６】
［参考例１]  ポリエステル樹脂（Ａ）の調製
窒素ガス雰囲気下でジカルボン酸成分として２，６−ナフタレンジカルボン酸４０モル部、テレフタル酸４５モル部、５−スルホイソフタル酸ナトリウム５モル部、グリコール成分としてエチレングリコール９５モル部、ジエチレングリコール５モル部をエステル交換反応器に仕込み、これにテトラブチルチタネート（触媒）を全ジカルボン酸成分１００万重量部に対して１００重量部添加して、１６０〜２４０℃で５時間エステル化反応を行った後、溜出液を取り除いた。
【００４７】
その後、３価以上の多価カルボン酸成分であるトリメリット酸１０モル部と、テトラブチルチタネートを更に全ジカルボン酸１００万重量部に対して１００重量部添加して、２４０℃で、反応物が透明になるまで溜出液を除いたのち、２２０〜２８０℃の減圧下において、重縮合反応を行い、ポリエステル樹脂（Ａ）を得た。該ポリエステル樹脂のＴｇは８０℃であった。
＜ポリエステル樹脂（Ａ）の組成＞
（ジカルボン酸成分および多価カルボン酸成分）
・２，６−ナフタレンジカルボン酸        ４０モル部
・テレフタル酸                          ４５モル部
・５−スルホイソフタル酸ナトリウム        ５モル部
・トリメリット酸                        １０モル部
（グリコール成分）
・エチレングリコール                    ９５モル部
・ジエチレングリコール                    ５モル部
［実施例１］
実質的に外部添加粒子を含有しないＰＥＴペレット（極限粘度０．６３ｄｌ／ｇ）を真空中１６０℃で４時間乾燥した後、押出機に供給し２８５℃で溶融押出を行った。ステンレス鋼繊維を焼結圧縮した平均目開き５μｍのフィルターで、次いで平均目開き１４μｍのステンレス鋼粉体を焼結したフィルターで濾過した後、Ｔ字型口金よりシート状に押し出し、静電印加キャスト法を用いて表面温度２０℃の鏡面キャスティングドラムに巻き付けて冷却固化せしめた。この未延伸フィルムを予熱ロールにて７０℃に予熱後、上下方向からラジエーションヒーターを用いて９０℃まで加熱しつつロール間の周速差を利用して長手方向に３．１倍延伸し、引き続き冷却ロールにて２５℃まで冷却し、一軸配向（一軸延伸）フィルムとした。このフィルムの両面に空気中でコロナ放電処理を施し、フィルムの表面張力を５５ｍＮ／ｍとした。
【００４８】
次いで、上記一軸延伸フィルムに図１に示した塗布装置を用いて片面に塗布した後、ローラによりフィルムを反転させ、図１に示した塗布装置と同じ仕様の装置を用いて同様に逆面に塗布することにより両面塗布をした。なお、計量バーによる塗布装置は図４に示される装置を使用し、計量バーは直径１３ｍｍ、ワイヤー径０．１ｍｍ（＃４）のメタリングワイヤーバーを用い、上流側カバー先端位置を計量バーの回転中心の上側４ｍｍ、下流側のカバー先端位置を計量バーの回転中心の下側１ｍｍとし、上流側カバーの先端が下流側カバーの先端よりも５ｍｍ高くなるように設置した。また、計量バーと上流側カバーとの間隙（ａ）を１．５ｍｍ、計量バーと下流側カバーとの間隙（ｂ）を０．７ｍｍに隙間ゲージを用いて調整し、塗液は上流側支持コロのさらに上流側の下部の供給口より、計量バーと上流側のカバーおよび計量バーと下流側のカバーとの間隙を通って常に外部にオーバーフローするように、供給量を調整した。なお、計量バーは、中央部を幅方向にピッチ４００ｍｍで設置された回転可能な支持体で、さらに両端部はスムーズな回転が可能となるようベアリングで支持され、フィルムと接触する事でフィルムの走行により回転する方式とした。
＜塗液＞
ポリエステル樹脂固形分を１００重量部とした時に、以下成分を含有する、ポリエステル樹脂固形分換算の濃度が５．０％である水溶液。また、本塗液を加熱乾燥して得た樹脂固形物のぬれ張力は４２ｍＮ／ｍ、屈折率は１．５８であった。
ポリエステル樹脂（Ａ）：１００重量部
メラミン系架橋剤（三和ケミカル社（株）製“ニカラック”ＭＷ１２ＬＦ）：５０重量部（固形分換算）
粒径１４０ｎｍのコロイダルシリカ：１．５重量部
フッ素系界面活性剤（互応化学（株）社製“プラスコート”ＲＹ２）：１．５重量部（固形分換算）。
【００４９】
水系塗液を塗布した１軸延伸フィルムをクリップで把持してオーブン中にて雰囲気温度１２０℃で乾燥・予熱した。引き続き連続的に１２０℃の延伸ゾーンで幅方向に３．７倍延伸した。得られた二軸配向（二軸延伸）フィルムを引き続き２３０℃の加熱ゾーンで１０秒間熱処理を実施後、２３０℃から１２０℃まで冷却しながら５％の弛緩処理を施し、続けて５０℃まで冷却した。引き続き幅方向両端部を除去した後に巻き取った。なお、この時の巻き取り速度は５０ｍ／分であった。上記の様にして基材ポリエステルフィルムに、塗布層が積層された厚さ１２５μｍ、ヘイズ０．７％（ＪＩＳ  Ｋ７１０５（１９８１））の塗布フィルムを得た。得られた塗布フィルムの特性を表２に示す。
【００５０】
［実施例２〜１０、比較例１〜７］
塗布装置を表１の通りとした以外は実施例１に従い塗布フィルムを得た。計量バーとカバーの間隙はカバーの固定位置、もしくはカバーの寸法を変更するかなどして調整した。また得られた塗布フィルムの特性を表２に示す。
【００５１】
［比較例８］
リバースタイプグラビアコーター（グラビアロール径２５０ｍｍ、ヘリカルタイプ２００線／インチ、容積２２．５×１０−３Ｌ／ｍ２、速度４０ｍ／ｍｉｎ（フィルム流れ方向と逆方向に回転））塗布装置を用いた以外は実施例１に従い塗布フィルムを得た。また得られた塗布フィルムの特性を表２に示す。
【００５２】
［まとめ］
実施例、比較例のまとめを、表１、表２の記載をもとに以下に示す。塗布位置による影響、計量バー周辺のカバー位置および計量バーとの間隙による影響、塗液供給位置による影響について順に示す。
【００５３】
（塗布装置）
グラビアコーターを用いた比較例８は塗布欠陥数は良好であったが、グラビアロールの微小な回転ムラやロールの偏心、ドクターブレードの当たり方により膜厚が変動するため調整が難しく、膜厚均一性が不合格レベル。一方、塗液を過剰に吹き付けたあと、計量バーで掻き取る比較例１では、膜厚均一性は良好なレベルであるが、塗液吹き付け部や計量バー周辺での気泡混入や塗液のはねにより塗布欠陥が多く不合格レベルであり、共に塗布欠陥と膜厚均一性の両立が困難であった。
【００５４】
一方、実施例１〜１０による図４、図６，図７の装置を用いた計量バーによる塗布については、塗液吹き付けではなく、計量バーの回転にて液を均一にフィルムに塗布出来ることと、計量バーのカバーで囲まれた内部を塗液で満たし、かつカバー内部に直接塗液を供給することで、計量バー周辺の気泡噛み込みを抑制し、かつ計量バー上下流の液だまりが安定化し塗布均一性に優れ、さらに液はねや微細な泡の混入も改善された結果、膜厚均一性および塗布欠陥数が良化し、合格範囲となった。
（計量バー周辺のカバー位置および計量バーとの間隙）
実施例１〜３，比較例２，３では計量バーと下流部のカバーの間隙（ｂ）、実施例１，４，５、比較例４，５では計量バーと上流部のカバーの間隙（ａ）、実施例１、６，７、比較例６，７では上流部カバーと下流部カバーの高さの差（ｃ）と膜厚均一性および塗布欠陥の結果が比較できる。上流側のカバーの間隙（ａ）が狭すぎる場合は突発的に塗布欠陥が多い部分が発生しやすく（比較例４）、間隙（ａ）が広すぎる場合は膜厚均一性が劣る結果であった（比較例５）。下流側のカバーの間隙（ｂ）が狭すぎる場合は膜厚・塗布欠陥数とも増加し（比較例２）、間隙（ｂ）が広すぎる場合は、突発的に塗布欠陥が多い部分が発生しやすい結果であった（比較例３）。また、上流部カバーと下流部カバーの高さの差（ｃ）が小さすぎる場合は、突発的に塗布欠陥が多い部分が発生しやすく（比較例６）、大きすぎる場合は、膜厚均一性が劣る結果であった（比較例７）。
【００５５】
結果として、計量バーと下流部のカバーとの間隙（ｂ）は０．５〜１．０ｍｍ、計量バーと上流部のカバーとの間隙（ａ）は１．０〜２．０ｍｍ、上流側カバーの先端高さが計量バーの回転中心よりも高く、下流側カバーの先端高さが計量バーの回転中心よりも低い位置にあり、かつ上流側カバーと下流側カバーの先端高さの差（ｃ）が２．０〜８．０ｍｍである場合に良好な結果となった。これは、前述した第１の計量バーの上流側および下流部分の液だまりの状態を安定に保ちながら、カバーで囲まれた内部から下流側カバーの外へ少量の塗液が安定して排出できる状態を長時間保持できたためと考えられる。
（塗液供給位置）
また、実施例１，９，１０で塗液供給位置による差異が比較可能であるが、供給位置はより上流側に有る方が安定であり、計量バーを支える上流側支持コロの更に上流側から塗液を供給することが、塗布欠陥の安定性と関係が深い。カバーに囲われた内部に満たされた塗液流れが安定する事で、計量バーの下流側液だまりの変動や計量バーと下部カバーとの間隙から漏洩する塗液流れの変動が抑制されるためと考えられる。
【００５６】
【表１】
2013071099.tif 000003
【００５７】
【表２】
2013071099.tif 000004
【産業上の利用可能性】
【００５８】
本発明に係る塗布フィルムの製造方法および塗布装置よれば、塗布厚みの均一性を改善しかつ塗布層の欠陥が抑制された外観に優れた塗布フィルムを供給することが可能となる。本発明の係る塗布方法および塗布装置は、各種用途の塗布フィルムの製造に使用することが出来るが、ＬＣＤやＰＤＰ等のフラットパネルディスプレイ用途やタッチパネル用途などの表示材料や表面保護・加飾フィルムなどに使用されるハードコート積層用途に用いられる塗布フィルムの製造方法として、特に好適に使用することができる。
【符号の説明】
【００５９】
１    基材フィルム
２    基材フィルムの進行方向
３    計量バー
４    計量バー支持のためのコロ
４ａ  計量バー支持のためのコロ（上流側）
４ｂ  計量バー支持のためのコロ（下流側）
５    計量バー上流側のカバー
６    計量バー下流側のカバー
７    塗液供給部
８    計量バー底部のカバー
９    塗液受けパン
１０    塗液
１１    計量バー両端部のカバー
１２    計量バー上流部の液だまり
１３    計量バー下流部の液だまり
ａ    計量バーと上流側カバーの間隙
ｂ    計量バーと下流側カバーの間隙
ｃ    上流側カバーと下流側カバーの高さの差
【図１】
2013071099.tif 000005
【図２】
2013071099.tif 000006
【図３】
2013071099.tif 000007
【図４】
2013071099.tif 000008
【図５】
2013071099.tif 000009
【図６】
2013071099.tif 000010
【図７】
2013071099.tif 000011
【図８】
2013071099.tif 000012